(57)【要約】【課題】例えば、指紋センサーが正常に働かず登録された指紋情報と一致しない場合に、入力画面からパスワード入力を要求された場合、登録されたパスワードをバーコード化したものをテンキー入力によるパスワードの代りの代替手段として用いる。【解決手段】携帯端末に使用者の指紋情報とパスワードを保存し外部から指紋情報が入力されると、この指紋情報を保存されている指紋情報と照合し、両者が一致しない場合、使用者は登録されているパスワードをバーコード化した情報、即ち、バーコード化したパスワードを通常のキー操作によるパスワードの代わりに携帯端末に入力する。携帯端末は入力されたバーコードを文字情報に変換し、この文字情報を登録されたパスワードと照合する。【選択図】図２
2009175859.tif 000002
【特許請求の範囲】
【請求項１】
認証要求元に登録されている使用者のパスワードをバーコード化し、該認証要求元からの入力要求がユ−ザ端末に表示されたとき、該入力要求に応じて前記使用者が該ユ−ザ端末に入力するバーコード化したパスワードを前記認証要求元に伝達することを特徴とする認証方法。
【請求項２】
請求項１において、前記ユ−ザ端末は携帯端末であることを特徴とする認証方法。
【請求項３】
ユ−ザ端末に使用者が登録した指紋情報とパスワードを保存し、
外部から入力される指紋情報を該保存されている指紋情報と照合し、両者が一致しない場合、外部から入力されるバーコード化したパスワードを前記保存されているパスワードと照合することを特徴とする認証方法。
【請求項４】
使用者のパスワードを登録する認証要求元とユ−ザ端末からなり、
該ユ−ザ端末は入力されたバーコード化されたパスワードを検出し、該パスワードを前記認証要求元に転送し、
前記認証要求元は該パスワードを前記登録されたパスワードと照合することを特徴とする認証システム。
【請求項５】
請求項４において、前記認証要求元はウェブサイトのアプリケーションであることを特徴とする認証システム。
【請求項６】
使用者の指紋情報とパスワードを登録するメモリと、
指紋検出手段と、
バーコード検出手段と
表示手段と、
制御手段を具備し、
該制御手段は前記指紋検出手段が検出する指紋情報を前記メモリに保存されている指紋情報と照合し、両者が一致しない場合、前記表示手段を用い前記使用者にパスワードの入力を促し、前記バーコード検出手段が検出するバーコード化したパスワードを前記メモリに保存されているパスワードと照合することを特徴とする携帯端末。
【請求項７】
請求項１乃至３のいずれかの認証方法を実施するためのコンピュータプログラム。
【発明の詳細な説明】
【技術分野】
【０００１】
本発明は、指紋センサーをユ−ザ認証手段として使用し、パスワード入力の代替手段または指紋センサー入力が不首尾に終わった場合の代替手段とする認証方法、システム並びに該方法を実施するコンピュータプログラムに関する。
【背景技術】
【０００２】
従来の指紋センサーを有する携帯端末は、指紋センサーによる入力が正常に行えなかった場合、ユ−ザの認証手段をパスワード入力に切り替えることが一般的であった。
【０００３】
なお、指紋センサーを有する携帯端末は、例えば、特許文献１に記載されている。
【特許文献１】特開２００６−２０２２７８
【発明の開示】
【発明が解決しようとする課題】
【０００４】
キー操作によるパスワード（暗証番号）の入力方法は一桁ずつ入力するため操作上の手間がかかるうえ、操作ミスを引き起こすことがあり得る。また、従来の指紋センサーによるユ−ザ認証方法は、入力された指紋が正常に読み取ることが出来なかった場合、入力手段として、テンキーに入力方法を変更し、改めてパスワードを入力する必要があった。しかし、上述のようにパスワード入力は、指紋センサー入力のように指をこするだけの操作と比較し、入力効率が低い。更に、ユ−ザ認証を短時間で済ませなければならない場合、使い勝手の悪さを露呈してしまう。
【課題を解決するための手段】
【０００５】
本発明の第一の観点における認証方法は、認証要求元に登録されている使用者のパスワードをバーコード化し、該認証要求元からの入力要求がユ−ザ端末に表示されたとき、該入力要求に応じて前記使用者が該ユ−ザ端末に入力するバーコード化したパスワードを前記認証要求元に伝達することを特徴とする。
【０００６】
本発明の第二の観点における認証システムは、使用者のパスワードを登録する認証要求元とユ−ザ端末からなり、該ユ−ザ端末は入力されたバーコード化されたパスワードを検出し、該パスワードを前記認証要求元に転送し、前記認証要求元は該パスワードを前記登録されたパスワードと照合することを特徴とする。
【０００７】
本発明の第三の観点における認証方法は、ユ−ザ端末に使用者が登録した指紋情報とパスワードを保存し、外部から入力される指紋情報を該保存されている指紋情報と照合し、両者が一致しない場合、外部から入力されるバーコード化したパスワードを前記保存されているパスワードと照合することを特徴とする。
【０００８】
本発明の第四の観点における携帯端末は、使用者の指紋情報とパスワードを登録するメモリと、指紋検出手段と、バーコード検出手段と、表示手段と、制御手段を具備し、該制御手段は前記指紋検出手段が検出する指紋情報を前記メモリに保存されている指紋情報と照合し、両者が一致しない場合、前記表示手段を用い前記使用者にパスワードの入力を促し、前記バーコード検出手段が検出するバーコード化したパスワードを前記メモリに保存されているパスワードと照合することを特徴とする。
【発明の効果】
【０００９】
本発明によれば、認証要求元に登録されている使用者のパスワードをバーコード化し、認証要求元からの入力要求がユ−ザ端末に表示されたとき、入力要求に応じて使用者がユ−ザ端末に入力するバーコード化したパスワードを前記認証要求元に伝達するようにしているので、使用者は、従来に比べて、簡単にパスワードを端末に入力できるという効果がある。
【発明を実施するための最良の形態】
【００１０】
図１は本発明の第１実施形態による携帯端末のブロック図である。本発明の携帯端末は制御部１０、指紋検出部１１、バーコード検出部１２、キー操作部１３、表示部１４とメモリ１５から構成される。表示部１４は制御部１０からの指示を表示し、メモリ１５は登録されている使用者の指紋情報とパスワードを保存する。指紋検出部１１とバーコード検出部１２からの入力データは制御部１０に供給され、制御部１０は最寄りの基地局を介してモバイルネットワークに接続され、図２のフローチャートに従い入力データの照合を行い使用者を認証する。バーコード検出部１２の入力として本発明の使用者認証に用いられる情報はメモリ１５に保存されている使用者のパスワードをバーコード化した情報、言い換えればバーコード化したパスワードである。この目的のために、一次元コードの他、QRコードなどのような二次元バーコード情報を用いることも出来る。
【００１１】
図２において、制御部１０はステップ２０で指紋検出部１１から入力データが供給されると、使用者に指紋入力があったことを表示部１４に表示し（ステップ２１）、ステップ２２で入力された指紋情報をメモリ１５の指紋情報と照合
し、両者が一致するか否かをステップ２３で判定する。入力された指紋情報がメモリ１５の指紋情報と一致すると制御部１０はステップ２３からステップ２８に進み、使用者が認証されたことを表示部１４に表示し、処理を終了する。
【００１２】
入力された指紋情報がメモリ１５の指紋情報と一致しない場合、制御部１０はステップ２３からステップ２４に進み、バーコード入力への切替えを使用者に促すプロンプトを表示部１４に表示する。
【００１３】
ステップ２５で、使用者が上記バーコードをバーコード検出部１２に入力したことを制御部１０が検出すると、入力されたバーコードの文字情報をメモリ１５のパスワードと照合し（ステップ２６）、両者が一致するか否かをステップ２７で判定する。入力されたバーコードの文字情報がメモリ１５のパスワードと照合すると制御部１０はステップ２７からステップ２８に進み、使用者が認証されたことを表示部１４に表示し、処理を終了する。
【００１４】
また、ステップ２５でバーコードが一定時間内に入力されなかった場合、またはステップ２７で入力されたバーコードの文字情報がメモリ１５のパスワードと一致しないと判定された場合、制御部１０はステップ２９に進み認証拒否の結果を表示部１４に表示し、処理を終了する。
【００１５】
上述の説明から明らかなように、本発明は携帯電話端末に指紋センサー認証用付加入力手段として新たなデバイスの追加を不要とするものである。
図３は本発明の第２実施形態における図１の制御部１０の動作を示すフローチャートである。ウェブサイトのアプリケーションにおいて、入力画面がパスワードを要求する場合、通常はキー操作により入力が行われる。図３において、アプリケーションの入力画面がパスワードを要求すると（ステップ３０）、使用者がバーコード検出部１２にバーコード化したパスワードの入力をするか、または通常通りキー操作によりパスワードの入力をする。制御部１０はバーコード検出部１２からの入力とキー操作部１３からの入力を監視し（ステップ３１）、
バーコード入力かキー入力かを判定する（ステップ３２）。バーコード化されたパスワードが入力されるとステップ３３に進み、制御部１０は入力されたバーコードをパスワードに変換しアプリケーションに転送し、処理を終了する。ステップ３２でパスワードの桁数の文字が入力されると制御部１０はステップ３４に進みこの情報をアプリケーションに転送し、処理を終了する。
【図面の簡単な説明】
【００１６】
【図１】本発明の実施の一形態を示すブロック図。
【図２】本発明の第１実施形態における図１の制御部の動作を表すフローチャート。
【図３】本発明の第２実施形態における図１の制御部の動作を表すフローチャート。
【符号の説明】
【００１７】
１０  制御部
１１  指紋検出部
１２  バーコード検出部
１３  キー操作部
１４  表示部
１５  メモリ
【図１】
2009175859.tif 000003
【図２】
2009175859.tif 000004
【図３】
2009175859.tif 000005